(57)【特許請求の範囲】
【請求項１】
底部材と蓋部材とを一体化してなるケースであって、
前記底部材および前記蓋部材を合わせた側壁部に、内容物を所定数取り出せる大きさの開口部が形成され、
前記開口部には、前記底部材または前記蓋部材のいずれかの側壁部に、ヒンジ部を介して一体に形成されたヒンジキャップと、前記ヒンジキャップを開けると前記ヒンジ部の近傍で起立するストッパーとが設けられ、
前記底部材または前記蓋部材には、前記ヒンジキャップを閉じた際に前記ストッパーを収容し、かつ前記ヒンジキャップを開けた際に前記ストッパーと隣接する凹部となる段差部が設けられていることを特徴とするヒンジキャップ付きケース。
【請求項２】
前記ヒンジキャップの開き角度を大きくすることで、前記ストッパーを前記開口部外側方向に倒れるように、前記ヒンジ部が折り曲げ自在に形成されていることを特徴とする請求項１記載のヒンジキャップ付きケース。
【請求項３】
前記開口部は、前記内容物を２または３個並列に取り出せる大きさであることを特徴とする請求項１又は２に記載のヒンジキャップ付きケース。
【発明の詳細な説明】
【技術分野】
【０００１】
本発明は、錠剤や清涼用粒状物などの内容物を入れて、小出し使用できる携帯用のヒンジキャップ付きケースに関する。
【背景技術】
【０００２】
錠剤や清涼用粒状物などの内容物の包装容器として、内容物を入れたまま小出し使用できる携帯用ケースが普及している。このようなケースは、樹脂製の上蓋と下蓋を各々に設けた凹凸のボスで嵌合させたもの、あるいは円周上でアンダーカット嵌合させることで一体化されたケースが知られている。
また、内容物の取り出し口としては、ケース本体に設けた小出し用の孔をスライド自在の蓋によって開閉するように形成されたものが知られているが、部品点数が多くてコスト高であり、また、構造上孔を側壁部に設けることが難しく、使用性も十分でなかった。
そのため、矩形トレイ状の底部材と蓋部材とを組み立て、側壁部の一部を該底部材と一体のヒンジキャップとして形成されたケースが開発されている（例えば、特許文献１〜５を参照）。
【０００３】
従来のヒンジキャップ付きケースの例として、図４（ａ）、（ｂ）に示すケース１０１は、矩形の薄いトレイ状の底部材１０２と、略同形の蓋部材１０３とを組み立ててなるものであって、底部材１０２の側壁部１０４の１つのコーナー部分近くには、底部材１０２と一体なヒンジキャップ１０５が、薄肉の折り曲げ自在なヒンジ部１０６を介して形成され、ヒンジキャップ１０５を開くと、内容物Ｑ´を取り出せる開口部１０７が形成される。
このように、ヒンジキャップ１０５を開き、開口部１０７を下方に向けた状態で、ケース１０１を振り出し操作することで、ケース１０１内に収容されている内容物Ｑ´を開口部１０７から取り出すことができる。
【０００４】
ケース１０１において、蓋部材１０３の側壁部１０８、および底部材１０２の側壁部１０４はいずれも外面円弧状に形成され、蓋部材１０３におけるヒンジキャップ部分は、凹型形状の切欠部１０９に形成されている。切欠部１０９のケース長辺と平行な端縁内面側には、蓋部材１０３上面から連続する段下げ鍔部１１０が形成され、ヒンジキャップ１０５を閉じた時に、ヒンジキャップ１０５の凸部１１１と段下げ部１１０の先端が当接するように形成されている。
蓋部材１０３と底部材１０２には、内面側に複数組の凹凸のボスが突設されており、これらの凹凸のボスで嵌合させることによって一体化され、ケース１０１が組み立てられている。
【特許文献１】特開２００５−１８７０７７号公報
【特許文献２】特開２００５−４７６２６号公報
【特許文献３】特開２００２−２９３３８７号公報
【特許文献４】特許第３９５３５８１号公報
【特許文献５】特許第３６５７３５１号公報
【発明の開示】
【発明が解決しようとする課題】
【０００５】
しかしながら、従来のヒンジキャップ付きケースでは、開口部の大きさは内容物１個分の大きさであるため、１度の振り出し操作で内容物を１個ずつ取り出すようになっており、内容物を複数個取り出す場合には、複数回振り出し操作をする必要があった。
また、開口部は滑りやすいために、内容物を１個あるいは２個程度取り出したい場合でも、不意に複数個出てきてしまって、内容物を必要以上に取り出し過ぎる場合があった。
【０００６】
本発明は上記事情に鑑みてなされたものであり、一度の振り出し操作で所定数の内容物を小分け取り出しすることができ、かつ不意の出し過ぎを防止することが可能なヒンジキャップ付きケースを提供することを目的とする。
【課題を解決するための手段】
【０００７】
上記課題を解決するために、本発明のヒンジキャップ付きケースは、底部材と蓋部材とを一体化してなるカード型のケースであって、
前記底部材および前記蓋部材を合わせた側壁部に、内容物を所定数取り出せる大きさの開口部が形成され、
前記開口部は、前記底部材または前記蓋部材のいずれかの側壁部に、ヒンジ部を介して一体に形成されたヒンジキャップと、
前記ヒンジキャップを開けると前記ヒンジ部の近傍で起立するストッパーと、を設けたことを特徴とする。  
また、本発明のヒンジキャップ付きケースにおいては、前記開口部は、前記ヒンジキャップ側の平面部に、前記ストッパーと隣接する段下げ部を設けたこととした。
また、本発明のヒンジキャップ付きケースにおいては、前記ヒンジキャップの開き角度を大きくすることで、前記ストッパーを前記開口部外側方向に倒れるように、前記ヒンジ部が折り曲げ自在に形成されていることとした。
また、本発明のヒンジキャップ付きケースにおいては、前記開口部は、前記内容物を２または３個並列に取り出せる大きさであることとした。
【発明の効果】
【０００８】
本発明のヒンジキャップ付きケースによれば、底部材および蓋部材を合わせた側壁部に、内容物を複数個取り出せる大きさの開口部が形成され、前記開口部は、前記底部材または前記蓋部材のいずれかの側壁部に、ヒンジ部を介して一体に形成されたヒンジキャップと、前記ヒンジキャップを開けると前記ヒンジ部の近傍で起立するストッパーと、を設けたことで、開口部の大きさに合う数の内容物が１度の振り出し操作で出てきて、かつそれを超える数の内容物はストッパーにより抑止されるため、一度の振り出し操作で所定数の内容物を小分け取り出しすることができ、かつ不意の出し過ぎを防止することが可能となる。
【０００９】
また、本発明のヒンジキャップ付きケースによれば、前記開口部は、前記ヒンジキャップ側の平面部に、前記ストッパーと隣接する段下げ部を設けたことで、ストッパーに内容物が抑止され易く、内容物の出し過ぎを防止する効果が高くなる。
【００１０】
また、本発明のヒンジキャップ付きケースによれば、前記ヒンジキャップの開き角度を大きくすることで、前記ストッパーを前記開口部外側方向に倒れるように、前記ヒンジ部が折り曲げ自在に形成されていることで、ヒンジキャップを大きく開ければ、ストッパーが内容物を抑止することはないため、開口部の大きさに合う以上の数の内容物を、１度の振り出し操作で取り出すことができる。
【００１１】
また、本発明のヒンジキャップ付きケースによれば、前記開口部は、前記内容物を２または３個並列に取り出せる大きさであることで、開口部の大きさに合う２または３個の内容物が１度の振り出し操作で出てきて、かつそれを超える数の内容物はストッパーにより抑止されるため、内容物が一度に２または３個取り出すことが適切である場合、一度の振り出し操作で所定数小分け取り出しすることができ、かつ不意の出し過ぎを防止することが可能となる。
【発明を実施するための最良の形態】
【００１２】
以下、本発明を適用したヒンジキャップ付きケースの実施の形態について、図面を参照して説明するが、本発明はこれらの実施の形態に限定されることはない。
【００１３】
図１（ａ）、（ｂ）に示すように、本発明を適用したヒンジキャップ付きケース（以下、ケースと略す。）１は、薄いトレイ状の底部材２と蓋部材３とを一体化してなるカード型のケースであって、底部材２および蓋部材３を合わせた側壁部４に、内容物Ｑを複数個（例えば、２個程度）取り出せる大きさの開口部５が形成され、開口部５は、底部材２の側壁部６に、ヒンジ部７を介して一体に形成されたヒンジキャップ８と、ヒンジキャップ８を開けるとヒンジ部７の上に起立するストッパー９とを備えている。
【００１４】
これら底部材２、蓋部材３、ヒンジキャップ８、ストッパー９の材質は特に限定されないが、熱可塑性樹脂を用いて射出成形などにより形成すればよい。具体的には、例えば、ポリプロピレン（ＰＰ）、ポリエチレン（ＰＥ）、ポリブチレンテレフタレート（ＰＢＴ）などが挙げられる。
【００１５】
図１において、蓋部材３の側壁部１０、および底部材２の側壁部６は、ヒンジキャップ部分を除いて、円弧状に形成されているが、断面形状は他の形状であってもよい。
蓋部材３におけるヒンジキャップ部分は、凹字型形状に切り欠けられた切欠部１１であって、切欠部１１のケース長辺と平行な端縁内面側には、蓋部材３上面から連続する段下げ鍔部１２が形成されている。また、切欠部１１の左右両面側の側壁部１０には、底部材２の側壁部６の内面側に設けられた嵌合リブ２０が形成されている。
【００１６】
蓋部材３と底部材２には、内面側に凹凸部からなる複数組のボスが突設されており（図示せず）、これらの凹凸のボスで嵌合させ、ヒンジキャップ８の突起１７と嵌合リブ２０とが相互に係合することによって一体化され、ケース１が組み立てられている。
本実施例では、このようにしてケース１を形成しているが、底部材２と蓋部材３とを一体化する方法は特に限定されることはなく、例えば、周上をアンダーカット嵌合する方法などにより一体化していてもよい。
【００１７】
開口部５の大きさは、内容物Ｑを複数個取出せる大きさであれば、特に限定されないが、内容物Ｑを２または３個並列に取り出せる大きさであることが好ましい。このようにすることで、開口部５の大きさに合う２または３個の内容物Ｑが１度の振り出し操作で出てきて、かつそれを超える数の内容物Ｑはストッパー９により抑止されるため、内容物Ｑを一度に２または３個取り出すことが適切である場合、一度の振り出し操作で所定数確実に小分け取り出しすることができ、かつ不意の出し過ぎを防止することが可能となる。
また、開口部５は、ケース１の長辺側の側壁部４ａに設けられているが、ケース１の短辺側の側壁部４ｂに設けられていてもよい。
【００１８】
ヒンジキャップ８は、断面円弧状であり、蓋部材３と底部材２とが組み立てられてできたケース１の側壁部４と略同じ外観となるようになっている。ヒンジキャップ８の両側面１５，１６には突起１７が設けられており、キャップ閉時に、そのキャップ両側面１５，１６とそれぞれ対向する位置に嵌合部１８，１９が設けられている。
この嵌合部１８，１９は底部材２と一体に形成されるもので、嵌合リブ２０と溝部２１とで構成されている。溝部２１は、突起１７と略同じ幅を有するもので、ヒンジキャップ８がヒンジ部７を中心に回動する際の突起１７の軌道上に設けられている。また、嵌合リブ２０も同様に突起１７の軌道上に設けられており、突起１７がこの嵌合リブ２０を乗り越えて溝部２１に嵌合することにより、ヒンジキャップ８が係止されるようになっている。なお、このとき、溝部２１と突起１７との間隙は極小なため、ヒンジキャップ８がぐらつくことは少なく、また、軽い力で開閉できるので操作感も良い。
また、突起１７の嵌合面を傾斜面に形成すると、嵌合リブ２０を乗り越えやすく、キャップの開閉が適切な力で容易に行いやすくなる。
【００１９】
ヒンジキャップ８の内面は、断面略半円をなす円弧状の凹部２２であり、中央に補強部材２３が設けられている。そして、この凹部２２から連続するように、ヒンジキャップ８内面上方には、凸部２４が突設されており、この凸部２４が蓋部材３に設けられた段下げ鍔部１２の下側に入り込み、凸部２４の上側のヒンジキャップ８内面が段下げ鍔部１２の端面１２ａに当接するようになっている。したがって、図２（ａ）に示すように、ヒンジキャップ８を閉じたときに、ヒンジキャップ８と蓋部材３との間に、ケース１内が露出するような隙間が生じない。また、この段下げ鍔部１２は、前述のように蓋部材３の内面側に設けられ、蓋部材３の上面から連続する部分が滑らかな曲面になっている。
【００２０】
このようにして、ヒンジキャップ８は、底部材２と一体に形成され、同じく底部材２と一体に形成された嵌合部１８，１９に、キャップ両側面１５，１６に設けられた突起１７が嵌合することによって開閉自在となっている。
また、段下げ鍔部１２を設けることで、ヒンジキャップ８を閉じたときに、ヒンジキャップ８の先端部８ａは切欠部１１との間に、指が引っ掛かりやすい隙間が形成されるため、開封が容易に行なえるようになっている。また、この先端部８ａをわずかに外側に屈曲して形成すると、指が引っ掛りやすくなり、より開封が容易に行なえる。
【００２１】
ストッパー９は折り曲げ自在なヒンジ部７に形成されており、ストッパー９と隣接するように底部材２の平面部２ａに段差部２ｂが形成されている。
ストッパー９の形状は特に限定されないが、段差部２ｂの大きさと同じであるか、若干小さいことが好ましい。例えば、高さｈを開口部５の半分以下にし、横幅ｗは開口部との間隔ｄが内容物Ｑの径よりも小さくなるように形成すればよい。
【００２２】
このようにストッパー９を設けることで、図２（ａ）に示すように、ヒンジキャップ８を閉じた時は、底部材２の平面部２ａに設けられた段差部２ｂにストッパー９が収まり、先端の内容物Ｑ１がヒンジキャップ８の凹部２２の中に入り込む。そして、図２（ｂ）に示すように、ヒンジキャップ８を開けると、ヒンジキャップ８の凹部２２の中に入り込んだ内容物Ｑ１はケース１の外に出るとともに、ストッパー９がヒンジ部７から起立して、ストッパー９の先端部９ａでケース１内の内容物Ｑ２を抑止することができる。また、段差部２ｂを設けることで、このとき内容物Ｑ２がストッパー９側に傾いて抑止され易く、内容物Ｑ２，…の出し過ぎを防止する効果が生じる。
【００２３】
また、図３に示すように、ヒンジキャップ８を指の操作で大きく開ければ、ストッパー９が開口部５の外側方向に倒れ、内容物Ｑ２，…は開口部５の外に続いて出てくるため、ストッパー９が内容物Ｑ２，…を抑止することはなく、開口部５の大きさに合う以上の数の内容物Ｑ１，…を、１度の振り出し操作で取り出すこともできる。
なお、使用に際してはヒンジキャップ８自体が不用意に開くことはなく、ケース１から内容物Ｑを出すには、ヒンジキャップ８を開いて開口部５を下にして、振り出し操作をすればよい。
【００２４】
このようにして、開口部５の大きさに合う数の内容物Ｑが１度の振り出し操作で出てきて、かつそれを超える数の内容物Ｑはストッパーにより抑止されるため、一度の振り出し操作で所定数の内容物Ｑを小分け取り出しすることができ、かつ不意の出し過ぎを防止することが可能となる。
なお、ヒンジキャップ８は蓋部材２に設けられていてもよく、その場合、ヒンジ部７、ストッパー９を蓋部材２に設け、段下げ鍔部１２を底部材２に設ける。
【図面の簡単な説明】
【００２５】
【図１】図１は、本発明を適用したヒンジキャップ付きケースの一例を示すものであり、（ａ）は斜視図、（ｂ）はヒンジ部の拡大図を示す。
【図２】図２は、本発明を適用したヒンジキャップ付きケースの断面図であり、（ａ）はヒンジキャップを閉じた状態、（ｂ）はヒンジキャップを９０°開いた状態を示す。
【図３】図３は、本発明を適用したヒンジキャップ付きケースの断面図であり、ヒンジキャップを１８０°開いた状態を示す。
【図４】図４は、従来例のヒンジキャップ付きケースを示すものであり、（ａ）は斜視図、（ｂ）はヒンジ部の拡大図を示す。
【符号の説明】
【００２６】
１…ヒンジキャップ付きケース、２…底部材、２ａ…平面部、２ｂ…段差部、３…蓋部材、４,４ａ，４ｂ，６,１０…側壁部、５…開口部、７…ヒンジ部、８…ヒンジキャップ、８ａ…キャップ先端部、９…ストッパー、１１…切欠部、１２…段下げ鍔部、１５，１６…キャップ両側面、１７…突起、１８，１９…嵌合部、２０…嵌合リブ、２１…溝部、２２…凹部、２３…補強部材、２４…凸部、Ｑ…内容物。
【図１】
0005055084.tif 000002
【図２】
0005055084.tif 000003
【図３】
0005055084.tif 000004
【図４】
0005055084.tif 000005